(57)【特許請求の範囲】
【請求項１】
ケーブルに外嵌される環状の磁性体コアを保持し、前記ケーブルに対して摺動可能なコア保持部と、
前記ケーブルに設けられたプラグを接続するソケット又はコンセントの近傍に固定される固定部と、
前記固定部が一端に設けられた長尺状のバンド部、及び前記コア保持部と一体に形成され、前記バンド部上の任意の位置、或いは予め設定された複数の位置のいずれかに係止可能な係止部からなり、前記ソケット又はコンセントから前記プラグを引き抜く方向の力が前記ケーブルに加えられた時に、前記ケーブルより太径に形成されたプラグ周辺部位に前記コア保持部が当接して、前記ケーブルの移動を制限し、不用意に前記ソケット又はコンセントから前記プラグが脱落してしまうことがないような間隔となるように前記コア保持部と前記固定部とを連結する連結部と、
を備えることを特徴とする雑音電流吸収具。
【請求項２】
前記磁性体コアは、該磁性体コアを軸方向に分割した複数の分割片からなり、
前記コア保持部は、
前記分割片をそれぞれ収納するケース部と、
係脱自在に構成され、前記ケース部に収納された分割片が環状に組み合わされるように該ケース部を固定する固定機構と、
を備えることを特徴とする請求項１記載の雑音電流吸収具。
【請求項３】
前記固定部は、前記ソケット又はコンセントを有する取付対象物の壁面に穿設された取付孔に圧入され、当該固定部の弾性変形によって装着される形状を有することを特徴とする請求項１又は請求項２記載の雑音電流吸収具。
【請求項４】
前記固定部は、前記ソケット又はコンセントを有する取付対象物の壁面に貼着される貼着板からなることを特徴とする請求項１又は請求項２記載の雑音電流吸収具。
【請求項５】
前記貼着板には、前記取付対象物に形成された前記ソケット又はコンセントを露出させるための開口部を有することを特徴とする請求項４記載の雑音電流吸収具。
【請求項６】
前記連結部は、
長尺状に形成されたバンド部と、
該バンド部上の任意の位置、或いは予め設定された複数の位置のいずれかに係止可能な係止部と、
からなり、前記コア保持部及び前記固定部のうち、一方が前記バンド部に、他方が前記係止部に固定されていることを特徴とする請求項１乃至請求項５いずれか記載の雑音電流吸収具。
【請求項７】
前記コア保持部及び前記固定部のうち少なくとも一方と前記連結部とは、着脱自在に構成されていることを特徴とする請求項１乃至請求項６いずれか記載の雑音電流吸収具。
【発明の詳細な説明】
【技術分野】
【０００１】
本発明は、電線の外周部を磁性体で包囲し、その磁性体によって電線に流れる雑音電流を吸収する雑音電流吸収具に関する。
【背景技術】
【０００２】
従来より、電線の外周部をフェライト等の磁性体コアで包囲し、この磁性体によって電線を流れる雑音電流を吸収する雑音電流吸収具が知られている。
【０００３】
この種の雑音電流吸収具では、既存の配線を取り外すことなく、電線に磁性体コアを簡単に外嵌できるようにするため、例えば、実開昭６３−３９９９７号公報に開示されているように、軸を含む分割面で２分割してなる環状の磁性体コアと、磁性体コアの各分割片をそれぞれ収納するための一対のケース部、及び収納された分割片が元の環状に組み合わされるように一対のケース部を固定するための固定機構（互いに係合する突起とフック）を備えた保持ケースとからなる雑音電流吸収具が広く用いられている。
【０００４】
そして、この種の雑音電流吸収具は、ケーブル上での取付位置によって効果が大きく異なるため、適当な場所に取付位置を固定する必要がある。そのため雑音電流吸収具には、例えば、ケーブルを挿通させるためのケーブル挿通孔を形成するケース部の切欠部分に、そのケーブル挿通孔に向けて突出する係止爪等が設けられている。即ち、雑音電流吸収具をケーブルに取り付ける際に、ケース部の切欠部分に配置されるケーブルの被覆に、この係止爪を食い込ませることで雑音電流吸収具をケーブルに固定するのである。
【発明の開示】
【発明が解決しようとする課題】
【０００５】
ところで、雑音電流吸収具の効果が十分に得られる取付位置を見つけるには、取付位置の調整が必要となる。しかし、係止爪によりケーブルへの固定を行う従来の雑音電流吸収具では、取付位置を移動する時に、ケース部を開いて一旦電線から取り外し、再度、電線に取り付けるという作業を繰り返し行わなければならず、非常に手間を要するという問題があった。
【０００６】
そこで、本発明は、上記問題点を解決するために、取付位置の調整が容易な雑音電流吸収具を提供することを目的とする。
【課題を解決するための手段】
【０００７】
上記目的を達成するためになされた請求項１記載の発明は、ケーブルに取り付けて使用され、ケーブルを流れる雑音電流を吸収する雑音電流吸収具であって、ケーブルに外嵌される環状の磁性体コアを保持し、前記ケーブルに対して摺動可能なコア保持部と、前記ケーブルに設けられたプラグを接続するソケット又はコンセントの近傍に固定される固定部と、前記固定部が一端に設けられた長尺状のバンド部、及び前記コア保持部と一体に形成され、前記バンド部上の任意の位置、或いは予め設定された複数の位置のいずれかに係止可能な係止部からなり、前記ソケット又はコンセントから前記プラグを引き抜く方向の力が前記ケーブルに加えられた時に、前記ケーブルより太径に形成されたプラグ周辺部位に前記コア保持部が当接して、前記ケーブルの移動を制限し、不用意に前記ソケット又はコンセントから前記プラグが脱落してしまうことがないような間隔となるように前記コア保持部と前記固定部とを連結する連結部とを備えることを特徴とする。
【０００８】
このように構成された本発明の雑音電流吸収具では、固定部が固定された位置から、連結部が設定する間隔だけ離れたケーブル上に、コア保持部が取り付けられる。
しかも、コア保持部はケーブルに対して摺動可能に構成されているため、連結部が設定する間隔を変更すると、これと連動してコア保持部の取付位置も移動する。
【０００９】
このように本発明の雑音電流吸収具によれば、コア保持部の取付位置を、コア保持部の
取り外しを行うことなく容易に変更することができ、コア保持部の取付位置の調整の手間を大幅に軽減することができる。
また、本発明の雑音電流吸収具によれば、ケーブルにプラグを引き抜く方向の力が加えられた時には、ケーブルより太径に形成されたプラグ周辺部位がコア保持部に当接し、その移動が制限されるため、プラグの脱落を防止することができる。
【００１０】
なお、請求項２記載のように、磁性体コアが、その磁性体コアの軸方向に分割した複数の分割片からなる場合には、コア保持部は、分割片をそれぞれ収納するケース部と、係脱自在に構成され、ケース部に収納された分割片が環状に組み合わされるようにケース部を固定する固定機構とを備えたものを用いればよい。
【００１１】
この場合、ケーブルを予め磁性体コアに挿通させておく必要がなく、磁性体コアをケーブルに後付できるため、当該雑音電流吸収具を、様々なケーブルに適用することができる。
【００１２】
ところで、固定部は、例えば請求項３記載のように、ソケット又はコンセントを有する取付対象物の壁面に穿設された取付孔に対し、当該固定部の弾性変形によって装着される形状を有するものであってもよいし、請求項４記載のように、ソケット又はコンセントを有する取付対象物の壁面に貼着される貼着板であってもよい。
【００１４】
そして、特に、固定部が貼着板からなる時には、例えば、請求項５記載のように、その貼着板は、取付対象物に形成されたソケット又はコンセントを露出させるための開口部を形成してもよい。この場合、当該雑音電流吸収具を、ソケットやコンセントの近傍に強固に固定することができる。
【００１５】
次に、連結部は、請求項６記載のように、長尺状に形成されたバンド部と、そのバンド部上の任意の位置、或いは予め指定された複数の位置のいずれかに係止可能な係止部とからなり、コア保持部及び固定部のうち、一方がバンド部に、他方が係止部に固定されていてもよい。
【００１６】
そして、この場合、請求項７記載のように、コア保持部及び固定部のうち少なくとも一方と連結部とは、着脱自在に構成されていることが望ましい。即ち、このように着脱自在にされていれば、コア保持部及び固定部の取付をそれぞれ個別に行い、後から連結することができるため、取付作業を容易にすることができる。また、特に、固定部が取付対象物に固定される場合には、コア保持部又は固定部と連結部との着脱を行うだけで、ケーブルや取付対象物にコア保持部や固定部を取り付けたまま、取付対象物に対するケーブルの着脱を行うことができる。
【発明を実施するための最良の形態】
【００１７】
以下に本発明の実施形態を図面と共に説明する。
［第１実施形態］
第１実施形態の雑音電流吸収具は、図１〜図３に示すように、裏面にラチェット１１（図２参照）が形成された薄板帯状のバンド部１０、及びバンド部１０の長手方向の一端に形成された固定部２０からなる基部１と、ケーブルに外嵌される環状の磁性体コアを保持するコア保持部３０、及びコア保持部３０をバンド部１０に、その長手方向に沿って摺動可能に取り付けるための係止部４０からなる可動部３とを備えており、基部１及び可動部３は、それぞれ弾性材料により一体成形されている。
【００１８】
なお、バンド部１０，係止部４０が本発明における連結部に相当する。
また、図１は、雑音電流吸収具の構成を表す斜視図であり、（Ａ）が基部１から可動部３を取り外した状態、（Ｂ）が基部１に可動部３を取り付けた状態を表す。図２は基部１を裏面側から見た斜視図であり、図３は、（Ａ）が可動部３の正面図、（Ｂ）がその部分的な断面図である。
【００１９】
このうち、基部１を構成する固定部２０は、パソコンの筐体やオフィスの壁等、取付対象物に穿設された矩形の取付孔に、基部１自体を固定するためのものであり、その取付孔に圧入される断面矢印状の圧入部２１と、圧入部２１の付け根からバンド部１０の幅（短手）方向両側に突出し、圧入部２１を取付孔に圧入した時に、取付対象物の表面に圧接される平板状の板バネ部２２とからなる。
【００２０】
また、可動部３を構成するコア保持部３０は、軸を含む分割面で２分割してなる環状の磁性体コア３６の各分割片をそれぞれ収納し、ヒンジ３５を介して連結された一対のケース部３１，３２、及び各ケース部３１，３２に収納された分割片が元の環状に組み合わされるようにケース部３１，３２を固定するための固定機構（互いに係合する突起３３とフック３４）からなる。
【００２１】
このように構成されたコア保持部３０は、突起３３とフック３４との係合を解除して、両ケース部３１，３２に保持された分割片を露出させ、その分割片に形成されたケーブル挿通孔を構成するための凹部にケーブルを配置し、その状態でケース部３１，３２を閉じ合わせて、突起３３にフック３４を係合させることにより、ケーブルに外嵌された磁性体コア３６を収納した状態で、ケーブルに取り付けられる。
【００２２】
次に係止部４０には、バンド部１０を挿通させるバンド挿通孔４１が形成されており、そのバンド挿通孔４１の内部には、その先端部分がバンド部１０のラチェット１１に係合する係合片４２（図３参照）が突設され、更にこの係合片４２からは、係合片４２を変位させるための操作片４３が、バンド挿通孔４１の外部に向けて延設されている。
【００２３】
このように構成された係止部４０は、操作片４３を操作しない状態では、係合片４２の先端部分と、バンド挿通孔４１に挿通させたバンド部１０のラチェット１１とが係合することにより、可動部３は基部１に固定される。つまり、固定部２０とコア保持部３０とは、バンド部１０及び係止部４０を介して、ある間隔をもって連結される。
【００２４】
一方、操作片４３を操作して、係合片４２を変位させると、係合片４２の先端部分とラチェット１１との係合が解除される。このため、操作片４３を操作しつつ、バンド挿通孔４１へのバンド部１０の挿入量を変化させることにより、固定部２０とコア保持部３０との間隔を適宜調整することができる。
【００２５】
このように構成された本実施形態の雑音電流吸収具は、例えば、図４に示すように、パソコン等の筐体Ｋに設けられた電源用のソケットＳの近傍に形成した取付孔（図示せず）に取り付けて使用する。即ち、筐体Ｋの取付孔に、固定部２０の圧入部２１を取付孔に圧入することにより、基部１を筐体Ｋに取り付けると共に、ソケットＳと対になるプラグＰを有するケーブルＣに、コア保持部３０を取り付けることで、そのケーブルに磁性体コア３６を外嵌し、コア保持部３０と一体に設けられた係止部４０のバンド挿通孔４１に、筐体Ｋに取り付けられた基部１のバンド部１０を挿通させることで、基部１と可動部３とを一体化する。
【００２６】
そして、操作片４３を操作して、可動部３をバンド部１０上でスライドさせることにより、固定部２０とコア保持部３０との間隔、即ち磁性体コア３６の取付位置を、雑音電流の吸収に最も効果的な間隔となるように調整する。ここでは、コア保持部３０（磁性体コア３６）は、プラグＰの付け根部分に形成されたブーツＢとの境界付近に取り付けられている。
【００２７】
但し、コア保持部３０及び磁性体コア３６が形成するケーブル挿通孔の孔径は、ケーブルＣの外径より大きく、且つブーツＢの外径より小さくなるようにされている。
以上説明したように、本実施形態の雑音電流吸収具においては、基部１を筐体Ｋに固定する固定部２０と、ケーブルＣに外嵌される磁性体コア３６を保持するコア保持部３０との間隔を、操作片４３を操作することにより、バンド部１０の長さの範囲内で任意に設定できるようにされている。
【００２８】
従って、本実施形態の雑音電流吸収具によれば、磁性体コア３６の取付位置の調整を、ケーブルＣに対するコア保持部３０の着脱を行うことなく、容易に行うことができる。
また、本実施形態では、コア保持部３０を備える可動部３は、基部１を介して筐体Ｋに固定されているため、プラグＰとソケットＳとの接続が保たれている限り、コア保持部３０が保持する磁性体コア３６の取付位置が移動してしまうことがない。従って、当初、調整した取付位置に保持される磁性体コア３６によって、雑音電流の吸収を良好に行うことができる。
【００２９】
更に、本実施形態によれば、ソケットＳからプラグＰを離脱させる力がケーブルＣに加えられたとしても、ブーツＢがコア保持部３０に当接して、プラグＰの移動を阻止するため、不用意にプラグＰがソケットＳから脱落してしまうことを防止できる。
【００３０】
また更に、本実施形態において、固定部２０は、筐体Ｋに矩形の取付孔を穿設するだけで、基部１を固定することができ、また、不使用時には、圧入部２１を弾性変形させることで、取付孔から取り外すことができる。
【００３１】
このため、基部１が取り付けられる取付対象物の構造や外観の改変を、殆ど伴うことなく、種々の部位で使用することができ、当該雑音電流吸収具の利用に関わる改造コストや、機器の美観に与える影響を最小限に抑えることができる。
［第２実施形態］
次に第２実施形態について説明する。
【００３２】
本実施形態の雑音電流吸収具は、第１実施形態のものとは固定部２０の構成が異なるだけであるため、同じ構成部分については同一の符号を付して説明を省略し、構成の相異する部分を中心に説明する。
【００３３】
即ち、本実施形態において、固定部２０は、図５に示すように、バンド部１０の一端に形成された嵌合鍔部２３と、バンド部１０とは別体に構成され、取付対象物（筐体等）の表面に貼着される平板部２４ａ、及び平板部２４ａから突設され、嵌合鍔部２３を着脱自在に嵌合する嵌合部２４ｂを備えた貼着板２４とからなる。なお、平板部２４ａには、プラグＰの取り付けが可能なように、ソケットＳを露出させる開口窓２４ｃが形成されている。
【００３４】
このように構成された本実施形態の雑音電流吸収具では、まず、取付対象物に設けられたソケットＳが開口窓２４ｃの位置で露出するよう位置決めした状態で、貼着板２４を両面テープや接着剤によって取付対象物に固定する。そして、この取付対象物に固定された貼着板２４の嵌合部２４ｂに、嵌合鍔部２３を嵌入することで、バンド部１０を一体化して使用する。
【００３５】
このように構成された本実施形態の雑音電流吸収具では、取付対象物に取付孔を穿設できないような場合であっても、取付対象部に当該雑音電流吸収具を取り付けることができ、第１実施形態の場合と同様の作用，効果を得ることができる。
【００３６】
なお、貼着板２４を構成する平板部２４ａの形状としては、図６（Ａ）に示すように、開口窓２４ｃが省略されていてもよい。また、図６（Ｂ）に示すように、貼着板２５をバンド部１０と一体に構成してもよい。
【００３７】
また、取付対象物に対する貼着板２４の固定方法は、両面テープや接着剤に限らずネジ止めであってもよい。
［第３実施形態］
次に第３実施形態について説明する。
【００３８】
本実施形態の雑音電流吸収具は、第１実施形態のものとは固定部２０の構成が異なるだけであるため、同じ構成部分については同一の符号を付して説明を省略し、構成の相異する部分を中心に説明する。
【００３９】
即ち、本実施形態において、固定部２０は、図７（Ａ）に示すように、バンド部１０の一端に形成された薄板状の鍔部２７からなり、その鍔部２７には、ビス孔２７ａが形成されている。
【００４０】
このように構成された本実施形態の雑音電流吸収具は、例えば、図７（Ｂ）に示すように、鍔部２７に形成されたビス孔２７ａに、コンセントカバーＶを壁面に固定するビスを挿通させることで、コンセントカバーＶの表面に固定して使用することができる。
【００４１】
また、図７（Ｂ）に示すように、コンセントカバーＶにバンド部１０を挿通させる挿通孔Ｈを形成し、コンセントカバーＶと壁面との間に鍔部２７が配置されるようにして固定してもよい。
【００４２】
なお、鍔部２７は、ビス孔２７ａを利用して、コンセントカバーＶ以外の部分に固定してもよい。また、ビス孔２７ａを省略し、両面テープや接着剤により鍔部２７の固定を行ってもよい。
［第４実施形態］
次に第４実施形態について説明する。
【００４３】
本実施形態の雑音電流吸収具は、第１実施形態のものとは固定部２０の構成が異なるだけであるため、同じ構成部分については同一の符号を付して説明を省略し、構成の相異する部分を中心に説明する。
【００４４】
即ち、本実施形態において、固定部２０は、図８に示すように、バンド部１０の一端を、裏面側にＬ字状に屈曲させてなる係止部２８と、コンセントカバーＶ或いはコンセントを有する筐体の壁面等に突設され、係止部２８の両縁を包持する形状（ここでは断面Ｌ字状）に形成された一対の突条２９とからなる。なお、係止部２８の先端には、逆止片が形成されている。
【００４５】
このように構成された本実施形態の雑音電流吸収具は、一対の突条２９の間に、係止部２８をスライドさせて嵌入することで、コンセントカバーＶや筐体に固定される。このように、係止部２８を嵌入する構造として一対の突条２９を用いたことにより、コンセントカバーＶや筐体への着脱が容易になるだけでなく、係止部２８が取り外された時のコンセントカバーＶや筐体からの突出量を必要最小限に抑えることができる。
【００４６】
なお、突条２９は、第２実施形態にて説明した貼着板２４上に、嵌合部２４ｂの代わりに形成してもよい。
【００４８】
［他の実施形態］
以上、本発明のいくつかの実施形態について説明したが、本発明は上記実施形態に限定されるものではなく、本発明の要旨を逸脱しない範囲において、様々な態様にて実施することが可能である。
【００４９】
例えば、上記実施形態において、ラチェット１１は、バンド部１０の裏面に形成されているが、例えば、図９に示すように、バンド部１０の幅方向両端面に形成してもよい。そして、この場合、係止部４０には、支点４４を中心にして、その支点４４の弾性変形により揺動し、しかも先端にラチェット１１に係合する爪４６が形成された、いわゆるシーソー型のレバー４５を、バンド部１０の幅方向両側から挟むように設けたものを用いることができる。
【００５０】
このように構成された係止部４０では、レバー４５の爪形成端とは反対側を操作端として、この操作端を互いに接近する方向に指で押圧しながら、係止部４０とバンド部１０との位置関係を調整し、適当な位置でレバー４５への押圧を解除して、爪４６をラチェット１１に係合させればよい。なお、図９において、コア保持部３０の図示は省略されている。
【００５１】
また、図１０に示すように、係止部４０にラチェット１１と係合させるための機構を設ける代わりに、先端が球状に膨らんだ突起４７を設け、バンド部１０には、ラチェット１１の代わりに突起４７を嵌合させる嵌合孔１２を形成してもよい。この場合、バンド部１０を一旦折り返した状態で、そのバンド部１０の任意の位置に係止部４０（ひいてはコア保持部３０）を固定することができる。また、この場合、コア保持部３０及び係止部４０からなる可動部３がバンド部１０と一体化されるため、部品点数を削減することができ、その部品の管理に要する手間も削減できる。
【図面の簡単な説明】
【００５２】
【図１】第１実施形態の雑音電流吸収具の構成を表す斜視図である。
【図２】バンド部の裏面を表す斜視図である。
【図３】可動部の正面図、及びその部分的な断面図である。
【図４】雑音電流吸収具の使用状態を表す説明図である。
【図５】第２実施形態の雑音電流吸収具の構成を表す斜視図である。
【図６】第２実施形態における変形例の構成を表す斜視図である。
【図７】第３実施形態の雑音電流吸収具の構成、及び使用方法を表す斜視図である。
【図８】第４実施形態の雑音電流吸収具の構成、及び使用方法を表す斜視図である。
【図９】他の実施形態の構成を表す説明図である。
【図１０】他の実施形態の構成を表す説明図である。
【符号の説明】
【００５３】
１…基部、３…可動部、１０…バンド部、１１…ラチェット、１２…嵌合孔、２０…固定部、２１…圧入部、２２…板バネ部、２３…嵌合鍔部、２４…貼着板、２４ａ…平板部、２４ｂ…嵌合部、２４ｃ…開口窓、２５…貼着板、２７…鍔部、２７ａ…ビス孔、２８…係止部、２９…突条、３０…コア保持部、３１，３２…ケース部、３３…突起、３４…フック、３５…ヒンジ、３６…コア保持部、３６…磁性体コア、４０…係止部、４１…バンド挿通孔、４２…係合片、４３…操作片、４４…支点、４５…レバー、４６…爪、４７…突起、Ｂ…ブーツ、Ｃ…ケーブル、Ｈ…挿通孔、Ｋ…筐体、Ｐ…プラグ、Ｓ…ソケット、Ｖ…コンセントカバー。
【図１】
0004685121.tif 000002
【図２】
0004685121.tif 000003
【図３】
0004685121.tif 000004
【図４】
0004685121.tif 000005
【図５】
0004685121.tif 000006
【図６】
0004685121.tif 000007
【図７】
0004685121.tif 000008
【図８】
0004685121.tif 000009
【図９】
0004685121.tif 000010
【図１０】
0004685121.tif 000011